(57)【要約】【課題】高い防水および防振性能を有すると共に部品点数が削減され、さらに電装部品の取付状態を目視で確認できるようにした電装部品収納ケースを提供する。【解決手段】リレー７０を電装部品収納ケース３０の所定位置に取り付けた際に、電装部品収納ケース３０の表面に対する位置が変化するように構成された目印部４１を具備する。電装部品収納ケース３０は、リレー７０を直接保持する保持部材３６と、車体下方に開口部を有すると共に保持部材３６が収納される箱状ケース部材３１とからなり、保持部材を箱状ケース部材３１の下方から所定位置まで挿入することで、箱状ケース部材３１の上面部３５に一体に形成された目印部４１の位置が変化するように構成する。保持部材３６および箱状ケース部材３１をゴム等の弾性部材で形成する。目印部４１を外方から押圧することにより、箱状ケース３１からリレー７０を取り外すことができるように構成する。【選択図】図９
2010228508.tif 000002
【特許請求の範囲】
【請求項１】
電装部品（７０，７１）を車体に取り付ける電装部品収納ケース（３０）において、
前記電装部品収納ケース（３０）は弾性部材で形成されており、
前記電装部品（７０，７１）を電装部品収納ケース（３０）の所定位置に弾性係合により取り付けた際に、前記電装部品収納ケース（３０）の表面に対する位置が変化するように構成された目印部（４１）を具備することを特徴とする電装部品収納ケース。
【請求項２】
前記電装部品収納ケース（３０）は、前記電装部品（７０，７１）を直接保持する保持部材（３６）と、車体下方に開口部を有すると共に前記保持部材（３６）が収納される箱状ケース部材（３１）とからなり、
前記保持部材（３６）を前記箱状ケース部材（３１）の下方から所定位置まで挿入することで、前記箱状ケース部材（３１）の上面部（３５）に一体に形成された目印部（４１）の位置が変化するように構成されていることを特徴とする請求項１に記載の電装部品収納ケース。
【請求項３】
前記目印部（４１）を、その位置が変化する前の状態に押し戻すことで、前記電装部品（７０，７１）を前記箱状ケース（３１）から取り外すことが可能に構成されていることを特徴とする請求項１または２に記載の電装部品収納ケース。
【請求項４】
前記目印部（４１）は、前記電装部品（７０，７１）が所定位置に取り付けられてない状態では、前記箱状ケース部材（３１）の上面部（３５）に対して没した位置にあり、前記電装部品（７０，７１）を所定位置まで押し込むことで、前記箱状ケース部材（３１）の上面部（３５）より上方に突出することを特徴とする請求項２ないし３のいずれかに記載の電装部品収納ケース。
【請求項５】
前記目印部（４１ａ）は、前記電装部品（７０，７１）が所定位置に取り付けられてない状態では、前記箱状ケース部材（３１ａ）の上面部（３５）に対して没した位置にあり、前記電装部品（７０，７１）を所定位置まで押し込むことで、前記箱状ケース部材（３１）の上面部（３５）と略同一面を構成することを特徴とする請求項２ないし３のいずれかに記載の電装部品収納ケース。
【請求項６】
前記目印部（４１）の周囲は、他の部分に比べて厚みが小さいことを特徴とする請求項１ないし５のいずれかに記載の電装部品収納ケース。
【請求項７】
前記箱状ケース部材（３１）の内壁面には、前記保持部材（３６）が所定位置に収納されると、弾性変形から復元して前記保持部材（３６）の移動を妨げる係合突起（８３）が設けられていることを特徴とする請求項２ないし６のいずれかに記載の電装部品収納ケース。
【請求項８】
前記箱状ケース部材（３１）には、車体上下方向に指向するスリット（３３）が形成されており、
前記電装部品収納ケース（３０）は、前記車体に固定された薄板状の取付ステー（９４）を前記スリット（３３）の下方から挿入することで、前記車体に固定されることを特徴とする請求項２ないし７のいずれかに記載の電装部品収納ケース。
【発明の詳細な説明】
【技術分野】
【０００１】
本発明は、電装部品収納ケースに係り、特に、各種の電装部品を車体に取り付ける際に好適な電装部品収納ケースに関する。
【背景技術】
【０００２】
従来から、電子基板やリレー等の電装部品を車両の車体に取り付けるための電装品収納ケースが知られている。このような電装品収納ケースには、防水および防振性が要求される。
【０００３】
特許文献１には、車体下方側に開口部を有すると共に、その内壁面に電子基板の側端面が係合するガイドレールが形成された箱状ケースからなる、自動車用の電装部品収納ケースが開示されている。この電装部品収納ケースは、前記ガイドレールに沿って箱状ケースの下方から電子基板を挿入し、箱状ケースの車体取付面から下方に延設されたスカート部に電子基板の配線をコードバンドで固定したうえで、箱状ケースの上部に一体形成された取付ステーを用いて、車体側に取り付ける構成とされている。
【先行技術文献】
【特許文献】
【０００４】
【特許文献１】実開昭６４−２９８７５号公報
【発明の概要】
【発明が解決しようとする課題】
【０００５】
しかしながら、特許文献１に記載された電装部品収納ケースでは、配線コードを固定するためのコードバンドや車体に取り付けるための締結部材が必要となり、部品点数が多くなるほか、自動車等に比して振動の大きな自動二輪車に適用するためには、依然として防振対策に工夫の余地があるという課題があった。また、この電装部品収納ケースでは、電子基板が確実に箱状ケースに固定されたか否かを目視によって判断することはできなかった。
【０００６】
本発明の目的は、上記従来技術の課題を解決し、高い防水および防振性能を有すると共に部品点数が削減され、さらに電装部品の取付状態を目視で確認できるようにした電装部品収納ケースを提供することにある。
【課題を解決するための手段】
【０００７】
前記目的を達成するために、本発明は、電装部品（７０，７１）を車体に取り付ける電装部品収納ケース（３０）において、前記電装部品収納ケース（３０）は弾性部材で形成されており、前記電装部品（７０，７１）を電装部品収納ケース（３０）の所定位置に弾性係合により取り付けた際に、前記電装部品収納ケース（３０）の表面に対する位置が変化するように構成された目印部（４１）を具備する点に第１の特徴がある。
【０００８】
また、前記電装部品収納ケースは、前記電装部品（７０，７１）を直接保持する保持部材（３６）と、車体下方に開口部を有すると共に前記保持部材（３６）が収納される箱状ケース部材（３１）とからなり、前記保持部材（３６）を前記箱状ケース部材（３１）の下方から所定位置まで挿入することで、前記箱状ケース部材（３１）の上面部（３５）に一体に形成された目印部（４１）の位置が変化するように構成されている点に第２の特徴がある。
【０００９】
また、前記目印部（４１）を、その位置が変化する前の状態に押し戻すことで、前記電装部品（７０，７１）を前記箱状ケース（３１）から取り外すことが可能に構成されている点に第３の特徴がある。
【００１０】
また、前記目印部（４１）は、前記電装部品（７０，７１）が所定位置に取り付けられてない状態では、前記箱状ケース部材（３１）の上面部（３５）に対して没した位置にあり、前記電装部品（７０，７１）を所定位置まで押し込むことで、前記箱状ケース部材（３１）の上面部（３５）より上方に突出する点に第４の特徴がある。
【００１１】
また、前記目印部（４１）は、前記電装部品（７０，７１）が所定位置に取り付けられてない状態では、前記箱状ケース部材（３１）の上面部（３５）に対して没した位置にあり、前記電装部品（７０，７１）を所定位置まで押し込むことで、前記箱状ケース部材（３１）の上面部（３５）と略同一面を構成する点に第５の特徴がある。
【００１２】
また、前記目印部（４１）の周囲は、他の部分に比べて厚みが小さい点に第６の特徴がある。
【００１３】
また、前記箱状ケース部材（３１）の内壁面には、前記保持部材（３６）が所定位置に収納されると、弾性変形から復元して前記保持部材（３６）の移動を妨げる係合突起（８３）が設けられている点に第７の特徴がある。
【００１４】
さらに、前記箱状ケース部材（３１）には、車体上下方向に指向するスリット（３３）が形成されており、前記電装部品収納ケース（３０）は、前記車体に固定された薄板状の取付ステー（９４）を前記スリット（３３）の下方から挿入することで、前記車体に固定される点に第８の特徴がある。
【発明の効果】
【００１５】
第１の特徴によれば、電装部品を電装部品収納ケースの所定位置に弾性係合により取り付けられるので、コードバンドなどの締結部材が不要となり部品点数が少なく、安価・軽量・コンパクトに形成でき、さらに、収納部ケース自体が弾性体であるため、高い防振効果を得ることができる。さらに、目印部を変形させる構造を容易に得ることが可能となる。また、電装部品収納ケースの表面に対する位置が変化するように構成された目印部を具備することで、電装部品が所定の位置に取り付けられたか否かを、目印部の位置の変化によって確認することが可能となる。これにより、締結部材が不要なことと相まって、一層、組立作業の効率を高めることができる。
【００１６】
第２の特徴によれば、電装部品収納ケースは、電装部品を直接保持する保持部材と、車体下方に開口部を有すると共に保持部材が収納される箱状ケース部材とからなり、保持部材を箱状ケース部材の下方から所定位置まで挿入することで、箱状ケース部材の上面部に一体に形成された目印部の位置が変化するように構成されているので、保持部材と収納ケースとの間隙を小さくすることで、双方の弾性を利用して電装部品の取り付けを確実に行うことが可能となる。また、箱状ケース部材を共用し、保持部材側の電装部品挿入孔の形状を変更するのみで、種々の電装部品を収納することが可能となる。
【００１７】
第３の特徴によれば、目印部を、その位置が変化する前の状態に押し戻すことで、電装部品を箱状ケースから取り外すことが可能に構成されているので、工具等を用いることなく、電装部品を箱状ケースから取り外すことが可能となる。
【００１８】
第４の特徴によれば、目印部は、電装部品が所定位置に取り付けられてない状態では、箱状ケース部材の上面部に対して没した位置にあり、電装部品を所定位置まで押し込むことで、箱状ケース部材の上面部より上方に突出するので、電装部品が所定位置に取り付けられたことを目視で確認することが容易となる。
【００１９】
第５の特徴によれば、目印部は、電装部品が所定位置に取り付けられてない状態では、箱状ケース部材の上面部に対して没した位置にあり、電装部品を所定位置まで押し込むことで、箱状ケース部材の上面部と略同一面を構成するので、電装部品を所定位置に取り付けた際でも、箱状ケース部材の表面から突出する部分がなく、他の部品等との干渉や引っかかり等を防止することができる。
【００２０】
第６の特徴によれば、目印部の周囲は他の部分に比べて厚みが小さいので、目印部の位置を変化させる構造を容易に得ることができる。また、目印部の位置を変えるために必要な押し込み力を低減することができる。
【００２１】
第７の特徴によれば、箱状ケース部材の内壁面には、保持部材が所定位置に収納されると、弾性変形から復元して保持部材の移動を妨げる係合突起が設けられているので、電装部品を所定位置に収納した後、電装部品が箱状ケース部材から外れることを確実に防止することが可能となる。
【００２２】
第８の特徴によれば、箱状ケース部材には、車体上下方向に指向するスリットが形成されており、電装部品収納ケースは、車体に固定された薄板状の取付ステーをスリットの下方から挿入することで車体に固定されるので、電装部品収納ケースを車体に取り付けるためのネジ等が不要になり、部品点数を低減することが可能となる。
【図面の簡単な説明】
【００２３】
【図１】本発明の一実施形態に係る電装部品収納ケースを適用した自動二輪車の側面図である。
【図２】図１のＡ−Ａ線断面図である。
【図３】図２のＡ−Ａ線断面図である。
【図４】シートフレームの周囲の構成を示す斜視図である。
【図５】電装部品収納ケースの斜視図である。
【図６】電装部品収納ケースの斜視図である。
【図７】電装部品収納ケースの一部断面斜視図である。
【図８】電装部品収納ケースの一部断面正面図である。
【図９】リレーを所定位置まで押し上げた状態を示す電装部品収納ケースの一部断面斜視図である。
【図１０】リレーを所定位置まで押し上げた状態を示す電装部品収納ケースの一部断面正面図である。
【図１１】本発明の第２実施形態に係る電装部品収納ケースの一部断面正面図である。
【発明を実施するための形態】
【００２４】
以下、図面を参照して本発明の好ましい実施の形態について詳細に説明する。図１は、本発明の一実施形態に係る電装部品収納ケースを適用した自動二輪車１の側面図である。また、図２は図１のＡ−Ａ線断面図、図３は図１のＢ−Ｂ線断面図である。自動二輪車１は、車体前後方向に延びる１本のメインフレーム（モノバックフレーム）２を有する。メインフレーム２の前端部に設けられたヘッドパイプ３には、不図示のステアリングステムが回動自在に軸支されている。該ステアリングステムには、前輪を回転可能に軸支する左右一対のフロントフォーク４が取り付けられており、前輪ＷＦは、フロントフォーク４の上端部に取り付けられた左右一対のハンドルバー１５によって操舵可能とされている。
【００２５】
図２および３を参照して、中空構造とされるメインフレーム２は、プレス鋼板で形成された上側部材２ａと下側部材２ｂとを接合して形成されている。両者の接合は、上側部材のＬ字型リブ１０１と下側部材２ｂの直線型リブ１０２とを、車体上下方向でスポット溶接することで行われる。この図では、スポット溶接が施された位置をスポット溶接部１００として示しており、図１では、同様のスポット溶接部１００を×印で示している。
【００２６】
メインフレーム２の前方には、車幅方向中央で下方に延びる前側エンジンハンガ８０が取り付けられている。プレス鋼板で形成される前側エンジンハンガ８０は、その上縁部８０ａと下側部材２ｂとを車幅方向でスポット溶接することでメインフレーム２に接合されている。前側エンジンハンガ８０の下端部には、エンジン６を支持するためのエンジンマウント８１がボルト等の締結部材によって支持されている。
【００２７】
また、前側エンジンハンガ８０の後方には、車幅方向中央で下方に延びる後側エンジンハンガ８２が取り付けられている。また、ピボット軸１６の周囲で、後側エンジンハンガ８２の車幅方向外側には、左右一対のリヤショックユニット支持フレーム８３がスポット溶接によって接合されている。リヤショックユニット支持フレーム８３は、シートフレーム１７の後端部まで延びる形状とされており、前記上側部材２ａと接合されることで、シートフレーム１７の下面側を構成する。そして、ピボット軸１６の周囲で、リヤショックユニット支持フレーム８３の車幅方向外側には、車幅方向の最も外側でピボット軸１６を支持する左右一対のピボットプレート８４が取り付けられている。
【００２８】
メインフレーム２の後方下部には、駆動輪としての後輪ＷＲを回転可能に軸支するスイングアーム１２が、ピボット軸１６によって揺動自在に軸支されている。スイングアーム１２の後部は、シートフレーム１７に形成されたリヤショックユニット支持部１１ａにその上端部が回動自在に支持されたリヤショックユニット１１に吊り下げられている。
【００２９】
ピボット軸１６の前方かつメインフレーム２の下方には、エンジン６が配設されている。エンジン６の後方には、燃料噴射装置を含むスロットルボディ２５が取り付けられ、該スロットルボディ２５の後方には、エアクリーナボックス２４が接続されている。スロットルボディ２５の車幅方向左側には、燃料を濾過する二次燃料フィルタ２７が配設されており、エアクリーナボックス２４の車幅方向左側には、バッテリ２８が配設されている。エンジン６の前方側には、該エンジン６の燃焼ガスを車体後端部に配設されたマフラ１４に導く排気管２６が取り付けられている。なお、本実施形態に係る自動二輪車１は、ガソリンだけでなくアルコール燃料による走行が可能に構成されており、前記した二次燃料フィルタ２７は、主にアルコール燃料を使用する際に生じる不純物の除去に用いられる。
【００３０】
ヘッドパイプ３の前方側には、前照灯２１を支持するフロントカウル２０が配設されており、前輪ＷＦの上方には、フロントフェンダ２９が配設されている。メインフレーム２の上部には、燃料タンク５が配設され、その後方にはシート８が取り付けられている。メインフレーム２と一体に形成されるシートフレーム１７の後端部には、シートカウル９、尾灯装置１０、リヤフェンダ２３が支持されている。
【００３１】
後輪ＷＲの上方で、シートフレーム１７の上面には、盗難防止装置１９が配設されている。また、シートフレーム１７の車幅方向左右には、盗難防止装置１９によって駆動される警告用ホーン９０、エンジン制御装置としてのＥＣＵ１８、そして、本発明の一実施形態に係る電装部品収納ケース３０が配設されている。
【００３２】
図４は、シートフレーム１７の周囲の構成を示す斜視図である。前記と同一符号は、同一または同等部分を示す。前記したように、シートフレーム１７は、略方形のパイプ状とされており、その上面部に、取付バンド９２を介して盗難防止装置１９が固定されている。ＥＣＵ１８は、シートフレーム１７の車幅方向左側に取り付けられた取付ステー９３によって支持されている。シートフレーム１７の車幅方向右側には、前記警告用ホーン９０と、取付ステー９４によって支持される電装部品収納ケース３０が配設されている。なお、上記したように、シートフレーム１７の側方および上面に各種補機類を振り分け配置することによって、車体左右方向の重量バランスの最適化が図られている。
【００３３】
図５および図６は、本発明の一実施形態に係る電装部品収納ケース３０の斜視図である。電装部品収納ケース３０の箱状ケース部材３１は、ゴム等の弾性材料による一体成型部品とされる。箱状ケース部材３１は、その下部に開口部を有する箱状とされており、箱状ケース部材３１の下側半分は、上側半分より開口面積の大きいスカート部３２とされている。スカート部３２の下端部の四隅には、電装部品を取り付ける際の変形による亀裂等を防ぐための応力分散孔３４が形成されている。
【００３４】
箱状ケース部材３１の車体取付側の面には、車体上下方向に指向するスリット３３が形成されており、このスリット３３の下方から前記取付ステー９４の上端部９４ａを挿入することで、電装部品収納ケース３０が車体に支持されることとなる。なお、取付ステー９４には、複数の肉抜き孔９４ｂが形成されている。そして、図５，６に示した、電装部品を収納していない状態においては、箱状ケース部材３１の上面部３５に、３つの凹部（没部）４０，５０，６０が形成されることとなる。
【００３５】
図７は、電装部品収納ケース３０の一部断面斜視図である。また、図８は、電装部品収納ケース３０の一部断面正面図である。前記と同一符号は、同一または同等部分を示す。前記凹部４０，５０，６０の底部は、箱状ケース部材３１の上面部３５と一体形成された目印部４１，５１，６１の上面によって構成される。また、目印部４１，５１，６１の周囲には、それぞれ、薄肉部４２，５２，６２が形成されている。また、薄肉部４２，５２，６２の上部には、目印部４１，５１，６１の径方向内側に張り出すように形成された縁部４３，５３，６３が設けられている。薄肉部４２，５２，６２の下面側の縁には、その変形を容易にして耐久性を高めるための凹部８６が形成されている。
【００３６】
本実施形態では、電装部品収納ケース３０に対して、リレー７０，７１が支持されている。リレー７１は、下部で連結された二股構造とされており、リレー７０，７１の下方には、配線７３がそれぞれ接続されている。リレー７０は、保持部材３６の下面に設けられた孔部に挿入保持した後、箱状ケース部材３１の下部から上方に向けて押し込まれる。また、リレー７１は、保持部材３７，３８に挿入保持した後、箱状ケース部材３１の下部から上方に向けて押し込まれる。保持部材３６，３７，３８は、箱状ケース部材３１と同様に弾性部材で形成されている。
【００３７】
図７，８の状態では、リレー７０，７１が未だ所定位置まで押し上げられておらず、箱状ケース部材３１の内壁面に形成された係合突起８３，８４、仕切板８０に形成された係合突起８１，８２によって、保持部材３６，３７，３８がそのお互いの弾性力によって保持された状態にある。なお、本実施形態では、リレー７１が二股構造のため、仕切板８５が保持部材３７，３８に接する位置まで延ばされていないが、保持部材３７，３８が異なる電装部品をそれぞれ保持する場合は、仕切板８０と同様の構造とすることができる。
【００３８】
図９は、リレー７０，７１を所定位置まで押し上げた状態を示す電装部品収納ケース３０の一部断面斜視図である。また、図１０は、リレー７０，７１を所定位置まで押し上げた状態を示す電装部品収納ケース３０の一部断面正面図である。前記目印部４１，５１，６１は、リレー７０，７１を所定位置まで押し上げることによって、箱状ケース部材３１の上面部３５より上方に突出する。これにより、電装部品の取付作業者は、電装部品収納ケース３０の外方から、リレー７０，７１が所定位置に配設されたことを目視で確認することが可能となる。
【００３９】
また、リレー７０，７１を所定位置まで押し上げると、前記した係合突起８１，８２，８３，８４が元の形状に戻り、保持部材３６，３７，３８の下面側に張り出すことで、保持部材３６，３７，３８が下方に移動することが防止される。また、目印部４１，５１，６１が上方に突出した状態となると、薄肉部４２，５２，６２と縁部４３，５３，６３との間隙が小さくなり、水分や埃等がこの間隙に貯まりにくくなるように構成されている。さらに、目印部４１，５１，６１は、リレー７０，７１が所定位置に収納されたことを外観させる目印機能に加えて、これを上方から押し下げることにより、リレー７０，７１を箱状ケース部材３１から取り出す取り出しボタンとしても機能するように構成されている。
【００４０】
図１１は、本発明の第２実施形態に係る電装部品収納ケース３０ａの一部断面正面図である。前記と同一符号は、同一または同等部分を示す。この第２実施形態では、箱状ケース部材３１ａに形成された目印部４１ａ，５１ａ，６１ａの形状が前記第１実施形態と異なっており、リレー７０，７１を所定位置に収納した際に、目印部４１ａ，５１ａ，６１ａの上面が、箱状ケース部材３１ａの上面部３５と略同一面上に位置するように構成されている。このような構成によれば、電装部品を所定位置に取り付けた際でも、目印部４１ａ，５１ａ，６１ａが箱状ケース部材３１ａの表面から突出せず、他の部品等との干渉や引っかかり等を防ぐことが可能となる。
【００４１】
上記したように、本発明に係る電装部品収納ケースによれば、電装部品を所定位置に収納した際に、箱状ケース部材の上面部から突出する目印部を設けたので、電装部品が所定の位置に収納されたか否かを、目印部の状態によって確認することが可能となる。また、部品点数が少なく、高い防振および防水性能を有する電装品収納ケースが得られる。
【００４２】
なお、箱状ケース部材、保持部材等の形状や構造、目印部、薄肉部、係合突起等の形状、電装部品収納ケースによって車体に固定される電装部品の形状や種類等は、上記実施形態に限られず、種々の変更が可能である。例えば、目印部は、その上面視で四角形等に形成することもできる。本発明に係る電装品収納ケースは、自動二輪車に限られず、三輪車や四輪車等の各種車両のほか、運転時に振動を発する発電機等の各種機器に適用することが可能である。
【符号の説明】
【００４３】
１…自動二輪車、２…メインフレーム、１７…シートフレーム、３０…電装部品収納ケース、３１…箱状ケース部材、３３…スリット、３５…上面部、３６，３７，３８…保持部材、４０，５０，６０…凹部、４１，５１，６１…目印部、４２，５２，６２…薄肉部、４３，５３，６３…カバー部、７０，７１…リレー（電装部品）、８１，８２，８３，８４…係合突起
【図１】
2010228508.tif 000003
【図２】
2010228508.tif 000004
【図３】
2010228508.tif 000005
【図４】
2010228508.tif 000006
【図５】
2010228508.tif 000007
【図６】
2010228508.tif 000008
【図７】
2010228508.tif 000009
【図８】
2010228508.tif 000010
【図９】
2010228508.tif 000011
【図１０】
2010228508.tif 000012
【図１１】
2010228508.tif 000013